(57)【特許請求の範囲】
【請求項１】
ハウジング内に保持された注射器発射機構であって、
前記ハウジングは係止解除トリガを備えた駆動部材上に作用する駆動バネを含み、
前記トリガは、係止解除時に前記駆動バネの付勢下で前記駆動部材を注射器のプランジャ上に作用させて、第一に注射器の本体を前方へ駆動して注射器の針部を前記ハウジングから外へ移動させかつ第二に注射器から投与量を放出させる構成であり、
前記ハウジングは、投与量放出後に前記注射器の針部を前記ハウジングへ引っ込めるための、前記注射器の本体上に反対の付勢を付与する復帰バネ、および
前記ハウジングの後を覆うように位置決めされ、かつ前記トリガを作動させるかまたは前記トリガの作動のために接近を可能にするカバーを更に含み、
前記カバーは前記注射器に向かう第一方向へ移動可能であり、かつ前記駆動部材から前記注射器のプランジャを自由にして前記復帰バネの付勢により前記ハウジングへ前記注射器を引っ込める解放機構を作動させるために第一方向と反対方向へ続いて移動可能である、注射器発射機構。
【請求項２】
前記解放機構は前記注射器に最も近い前記カバーの領域から内方へ突出した突起を含み、前記突起は、前記カバーが前記反対方向へ移動するときに前記駆動部材上のフラップを解放して前記注射器のプランジャの頭部を前記駆動部材の中空内部へ侵入させる、請求項１の注射器発射機構。
【請求項３】
前記カバーを出発位置へ戻し、オペレータによる前記カバー上への作動圧力が除去されるときに、前記解放機構を作動させるための第三バネが前記カバーと前記ハウジングとの間に設けられている、請求項１または２の注射器発射機構。
【請求項４】
前記駆動部材は前記トリガを担持し、前記トリガは、前記トリガを解除して前記駆動バネの付勢下で前記駆動部材を前記ハウジング内で移動させるために、前記ハウジングの押縁から移動するまで、前記ハウジングの押縁上に通常は位置決めされている、請求項１から３のいずれか１の注射器発射機構。
【請求項５】
前記カバーの第一方向への移動は前記トリガを押して前記押縁から外す、請求項４の注射器発射機構。
【請求項６】
前記ハウジングは可撓性アームを有し、かつ前記可撓性アームの自由端は前記トリガと接触し、かつ前記トリガを作動させることのできる範囲で前記カバーが第一方向へ移動することにより内方へ移動する突起を担持する、請求項５の注射器発射機構。
【請求項７】
前記トリガを作動させるための発射ボタンが前記カバーの側壁から突出し、かつ前記発射ボタンは前記カバーが第一方向へ移動するまで前記カバーと係止し、その後に前記ボタンは押圧されることにより前記トリガを作動させる、請求項４の注射器発射機構。
【請求項８】
前記発射ボタンは前記ハウジングの可撓性アームを形成する部の端に担持されている、請求項７の注射器発射機構。
【発明の詳細な説明】
【技術分野】
【０００１】
本発明は安全注射器機構に関する。
【背景技術】
【０００２】
初期に注射器をハウジング内に完全に保持し、かつ注射後に注射器を再びハウジングへ引き戻す安全注射器機構は既知である。かかる装置は、通常、解放され、かつ第一に注射器の少なくとも針をハウジングから突出させ、次いで注射器から投与量を封入された針を介して放出するために前方へ駆動される駆動部材を有する。注射終了時に、注射器は復帰機構によりハウジングへ再度引き戻される。
【発明の開示】
【発明が解決しようとする課題】
【０００３】
本発明は、構造的に比較的簡単であり、かつ注射器の針を露出させかつ注射後に注射器をハウジングへ引っ込める二つの行程を実行するために容易に操作できる注射器発射機構を提供することを課題とする。
【課題を解決するための手段】
【０００４】
本発明によれば、ハウジング内に保持された注射器の注射器発射機構が提供され、前記ハウジングは係止解除トリガを備えた駆動部材上に作用する駆動バネ、投与量放出後に前記注射器の針部を前記ハウジングへ後退させるために前記注射器の本体上に反対の付勢を付与する復帰バネ、および前記ハウジングの後を覆うように位置決めされたカバーを含み、前記トリガは解除時に前記駆動バネの付勢下で注射器のプランジャ上に作用し第一に注射器の本体を前方へ駆動して注射器の針部を前記ハウジングから外へ移動させかつ第二に注射器から投与量を放出させ、かつ前記カバーは前記トリガを作動させるかまたは前記トリガの作動のために接近を可能にするために前記注射器に向かう第一方向へ移動可能でありかつ続いて前記駆動部材から前記注射器のプランジャを自由にして前記復帰バネの付勢下で前記ハウジングへ前記注射器を引っ込めるための解放機構を作動させるために第一方向と反対方向へ移動可能である。
【０００５】
この機構により、前記カバーは、第一に前記駆動部材を解放し、かつ次に前記ハウジングへ露出した針を引っ込める他の解放機構を作動させる作用する。好適形態において、この解放機構は前記注射器に最も近い前記カバーの領域から内方へ突出した突起を含み、前記突起は前記カバーが前記反対方向へ移動するときに前記駆動部材上のフラップを解放して前記注射器のプランジャの頭部を前記駆動部材の中空内部へ侵入させる。
【０００６】
理想的には、前記カバーを出発位置へ戻し、オペレータによる前記カバー上への作動圧力が解除されるときに、前記解放機構を作動させるために、前記カバーと前記ハウジングとの間に第三バネが設けられる。このことはオペレータが装置を一旦解放したならば前記解放機構の操作が自動的に行われることを確実にする。
【０００７】
好適形態において、前記駆動部材は前記トリガを担持し、前記トリガは、トリガを解除して前記駆動バネの付勢下で前記駆動部材を前記ハウジング内で移動させるために前記ハウジングの押縁から離れるまで、前記ハウジングの押縁上に通常は位置決めされている。一形態において、この構造は、前記カバーの第一方向への移動が前記トリガを押して前記押縁から外すように構成される。この場合に、前記ハウジングは可撓性アームを有していてよく、前記可撓性アームの自由端は前記トリガと接触し、かつ前記トリガを作動させることのできる範囲で前記カバーが第一方向へ移動することにより内方へ移動させる突起を担持する。
【０００８】
前記発射機構は、前記トリガを作動させるための発射ボタンを有するように構成され、前記発射ボタンは前記カバーの側壁から突出し、かつ前記カバーが第一方向へ移動するまで前記カバーと係止し、その後に押圧されることにより前記トリガを作動させる。前記発射ボタンは前記ハウジングの可撓性アームを形成する部の端に担持されてよい。
【発明を実施するための最良の形態】
【０００９】
本発明は様々な方法で実施されてよいが、次に、添付図面を参照して本発明の二つの好適実施形態について説明する。
【００１０】
図１はハウジング２内に設置された標準的注射器１を示す。バネ３は注射器に連結された注射器担体４を、ハウジングの下部２Ａ内に注射器１を完全に保持する方向へ付勢する。プランジャ５は注射器１からハウジングの上部２Ｂへ伸長している。ハウジングの上部２Ｂの上端で駆動部材６は駆動バネ７により付勢されている。駆動部材６はハウジング２の側壁内の開口部の押縁（ledge)９上に当接する可撓性アームの形態のトリガ８によって所定位置に保持される。
【００１１】
ハウジングの上部２Ｂの周囲に、バネ１１により外方へ付勢されたカバー１０が設けられている。オペレータがカバー１０を注射器１に向けて押すと、ハウジング２の可撓性アーム１２は、図２に示された状態に達するまで、アーム１２上の突出ボス１３とカバー１０の内側壁との係合によって内方へ付勢される。そこで、駆動部材６はバネ７の付勢下でハウジングの上部２Ｂ内で自由に移動しかつプランジャ５上に作用して第一に相対的に弱いバネ３の付勢に対して注射器１を外方へ移動させかつ次にプランジャが注射器１内で移動するときに針１４から注射器の内容物を放出させる。カバー１０が続いて解放される（released）ときに、バネ１１はカバー１０が外方へ移動するように作用する。この結果、トリガ部材１５が駆動部材１６の一部を形成するフラップ１６上に作用する（図２Ｃに示されている）。トリガ部材１５の図２Ｄに示された位置への続く移動によってフラップ１６は駆動部材６の側壁から離脱する。この結果、カム面１５Ａが蝶番１７を屈曲させてフラップ１６を押し出し、フラップを中空駆動部材６の内部へ浸入させる。フラップ１６は、そこで、蝶番１７を中心に中空駆動部材６の内部まで内方へ折り曲げられる。これによっていずれの圧力もプランジャ５から除去されかつバネ３はハウジング２へ注射器１を引き戻す作用をする。
【００１２】
図３ＡおよびＢの他の形態において、駆動部材６のトリガ８の内方閉鎖は異なる方法で実行される。他の点に関し、装置の操作は図１および２に示された方法で行われる。この事例において、ハウジングの上部２Ｂの可撓性アーム１２はボタン１８を形成するために自由端で外方へ伸長している。図３Ａの状態において、このボタンは、カバー１０の一部１９に当接するので、内方へ移動できない。しかし、カバー１０が図３Ｂの状態（図２Ａの状態に実質的に対応する）まで内方へ移動するときには、ボタン１８は、押圧により、内方へ移動してラッチを内方へ移動させて押縁９から自由にする。そこで、駆動部材６は、再度、バネ７により前方へ駆動され、かつ続く操作工程を図２のＢからＤに示されたように実行する。
【図面の簡単な説明】
【００１３】
【図１】本発明の注射器発射機構の一例の長手断面図である。
【図２】Ａ−Ｄは図１の注射器発射機構の操作の継続行程を示す。
【図３】ＡおよびＢは発射機構の他の形態の二つの初期操作行程を示す部分図である。
【図１】
0004588019.tif 000002
【図２Ａ】
0004588019.tif 000003
【図２Ｂ】
0004588019.tif 000004
【図２Ｃ】
0004588019.tif 000005
【図２Ｄ】
0004588019.tif 000006
【図３Ａ】
0004588019.tif 000007
【図３Ｂ】
0004588019.tif 000008